(57)【要約】【課題】モータ、モータ関連部材、およびトランスファ装置の駆動傘歯ギヤが車軸上に設けられた車両の駆動装置を、車幅方向にコンパクト化する。【解決手段】駆動装置１は、車軸３０ａ上に設けられてデフケース１２とモータ５１の出力部５４とを連絡する第１駆動軸２０１と、車両前後方向に延びる第２駆動軸２０２とを備える。第１駆動軸上には、歯面がデフ側を向く駆動傘歯ギヤ２１０が設けられる。第２駆動軸上には、駆動傘歯ギヤと噛み合う被動傘歯ギヤ２２０が設けられる。駆動傘歯ギヤを支持する軸受２１１は、減速機６０等のモータ関連部材の外周に、モータ関連部材と軸方向にオーバラップして設けられている。【選択図】図２
2016141198.tif 000002
【特許請求の範囲】
【請求項１】
エンジンから伝達される動力が変速機を介して入力される差動装置と、該差動装置から車幅方向に延びる左右の車軸と、該車軸上に設けられたモータおよびモータ関連部材とを備え、前記エンジンから伝達される動力と前記モータから伝達される動力とが前記差動装置のデフケースで統合されるように構成された車両の駆動装置であって、
前記車軸上に設けられ、前記デフケースと前記モータの出力部とを連絡する第１駆動軸と、
車両前後方向に延びる第２駆動軸と、
前記第１駆動軸上に設けられ、歯面が差動装置側を向く駆動傘歯ギヤと、
前記第２駆動軸上に設けられ、前記駆動傘歯ギヤと噛み合う被動傘歯ギヤとを備え、
前記駆動傘歯ギヤは、前記モータ関連部材の外周に該モータ関連部材と軸方向にオーバラップして設けられた軸受に支持されていることを特徴とする
車両の駆動装置。
【請求項２】
前記軸受は、前記駆動傘歯ギヤの歯部と径方向にオーバラップして設けられていることを特徴とする、
請求項１に記載の車両の駆動装置。
【請求項３】
前記駆動傘歯ギヤの内周部には、前記第１駆動軸とスプライン嵌合する嵌合部が形成され、
前記駆動傘歯ギヤは、前記嵌合部と軸方向にオーバラップして設けられた第２の軸受に支持されていることを特徴とする、
請求項１または２に記載の車両の駆動装置。
【発明の詳細な説明】
【技術分野】
【０００１】
本発明は、車軸上にモータが設けられた車両の駆動装置に関する。
【背景技術】
【０００２】
フロントエンジン・フロントドライブ方式（ＦＦ式）の車両は、軸心が車幅方向に延びるように配置されたいわゆる横置き式のエンジンおよび変速機と、この変速機に一体に設けられた差動装置とを備え、この差動装置から車幅方向に延びる左右の車軸を介して前輪が駆動されるようになっている。
【０００３】
特許文献１には、エンジン出力のアシストあるいは減速回生のためのモータが車軸上に設けられたＦＦ式ハイブリッド車が開示されている。モータの出力軸は、減速機を介して前輪用差動装置のデフケースに連結されており、エンジンから伝達される動力とモータから伝達される動力とがデフケースで統合されるようになっている。
【０００４】
ところで、上記ＦＦ式車両の基本構成を利用して四輪駆動車を構築する場合、前輪用差動装置のデフケースに連絡される駆動傘歯ギヤと、車両前後方向に延びるプロペラシャフトに連絡されると共に駆動傘歯ギヤに噛み合う被動傘歯ギヤとを備えるトランスファ装置が前輪用差動装置に一体に設けられることがある。
【先行技術文献】
【特許文献】
【０００５】
【特許文献１】特開２０１１−０３１７６１号公報
【発明の概要】
【発明が解決しようとする課題】
【０００６】
上記トランスファ装置を用いてＦＦ式ハイブリッド車を四輪駆動車とする場合、モータと、減速機等のモータ関連部材とに加えて、トランスファ装置の駆動傘歯ギヤを車軸上に設けることが考えられる。しかしこのとき、前輪用差動装置、モータ、モータ関連部材、トランスファ装置などからなる駆動装置の軸方向（車幅方向）寸法が増大するという問題が生じる。特に、車軸には自在継手が設けられており、これを避ける必要もあるため、車幅方向の限られたスペース内でのレイアウトが困難になる。
【０００７】
そこで本発明は、モータ、モータ関連部材、およびトランスファ装置の駆動傘歯ギヤが車軸上に設けられた車両の駆動装置を、車幅方向にコンパクト化することを課題とする。
【課題を解決するための手段】
【０００８】
前述の課題を解決するために、本願の請求項１に記載の発明は、
エンジンから伝達される動力が変速機を介して入力される差動装置と、該差動装置から車幅方向に延びる左右の車軸と、該車軸上に設けられたモータおよびモータ関連部材とを備え、前記エンジンから伝達される動力と前記モータから伝達される動力とが前記差動装置のデフケースで統合されるように構成された車両の駆動装置であって、
前記車軸上に設けられ、前記デフケースと前記モータの出力部とを連絡する第１駆動軸と、
車両前後方向に延びる第２駆動軸と、
前記第１駆動軸上に設けられ、歯面が差動装置側を向く駆動傘歯ギヤと、
前記第２駆動軸上に設けられ、前記駆動傘歯ギヤと噛み合う被動傘歯ギヤとを備え、
前記駆動傘歯ギヤは、前記モータ関連部材の外周に該モータ関連部材と軸方向にオーバラップして設けられた軸受に支持されていることを特徴とする。
【０００９】
ここで、前記モータ関連部材には、モータの出力を減速してデフケースに伝達する減速機、モータを冷却するオイルや軸受等の被潤滑部を潤滑するオイルを供給するオイルポンプ、トランスファ装置とモータとの間でオイルをシールするシール部材などが含まれる。
【００１０】
また、請求項２に記載の発明は、請求項１に記載の発明において、
前記軸受は、前記駆動傘歯ギヤの歯部と径方向にオーバラップして設けられていることを特徴とする。
【００１１】
また、請求項３に記載の発明は、請求項１または２に記載の発明において、
前記駆動傘歯ギヤの内周部には、前記第１駆動軸とスプライン嵌合する嵌合部が形成され、
前記駆動傘歯ギヤは、前記嵌合部と軸方向にオーバラップして設けられた第２の軸受に支持されていることを特徴とする。
【発明の効果】
【００１２】
請求項１に記載の発明によれば、駆動傘歯ギヤを支持する軸受がモータ関連部材の外周に当該モータ関連部材と軸方向にオーバラップして設けられていることから、車軸上に設けられたモータ等を車幅方向で差動装置側に寄せて配置することが可能となり、車両の駆動装置を車幅方向にコンパクト化することが可能となる。
【００１３】
請求項２に記載の発明によれば、駆動傘歯ギヤを支持する軸受が当該駆動傘歯ギヤの歯部と径方向にオーバラップして設けられていることから、車両の駆動装置を径方向にコンパクト化することが可能となると共に、駆動傘歯ギヤの支持剛性を向上させ、駆動傘歯ギヤと被動傘歯ギヤとの歯当たりが変化することによるノイズの発生、ギヤの寿命低下などを抑制することが可能となる。
【００１４】
請求項３に記載の発明によれば、駆動傘歯ギヤを支持する第２の軸受が、駆動傘歯ギヤにおける第１駆動軸との嵌合部と軸方向にオーバラップして設けられていることから、車両の駆動装置を車幅方向に更にコンパクト化することが可能となると共に、駆動傘歯ギヤの支持剛性を向上させることが可能となり、駆動傘歯ギヤと被動傘歯ギヤとの歯当たりが変化することによるノイズの発生、ギヤの寿命低下などを抑制することが可能となる。
【図面の簡単な説明】
【００１５】
【図１】本発明の第１実施形態による車両の駆動装置を示す全体図である。
【図２】同駆動装置の一部を示す断面図である。
【図３】図２の部分拡大図である。
【図４】本発明の第２実施形態による車両の駆動装置を示す、図２に対応する断面図である。
【発明を実施するための形態】
【００１６】
以下、本発明の実施の形態について、添付の図面を参照しながら詳細に説明する。
【００１７】
（第１実施形態）
［全体構成］
図１は、本発明の第１実施形態による車両の駆動装置を示す全体図である。図１で、前輪用差動装置および周辺の動力伝達部分については骨子を示しており、その他の部分については簡略化して示している。
【００１８】
駆動装置１は四輪駆動式のハイブリッド車に搭載される。駆動装置１は、横置き式のエンジン２とモータ５１とを車両走行用の駆動源として備える。モータ５１は、一方の前輪３６ａに連結された車軸３０ａ上に設けられている。なお、本明細書の説明では、車軸等の軸に直接に設けられる部材だけでなく、別部材を介して軸に同心状に設けられる部材についても、軸上に設けられた部材と記載する。
【００１９】
エンジン２の左側にはトランスアクスル３が設けられている。トランスアクスル３は、変速機６と前輪用差動装置１０とを備える。変速機６は、トルクコンバータ５を介してエンジン２の出力軸に連結されている。変速機６の出力ギヤ７は、前輪用差動装置１０のデフケース１２に固定されたデフリングギヤ１４に噛み合っており、エンジン２の出力は変速機６を介してデフケース１２に伝達され、更に左右の前輪用の車軸３０ａ，３０ｂに伝達されるようになっている。変速機６の変速機構と前輪用差動装置１０は、トランスアクスルケース４内に収容されている。変速機６は有段式の自動変速機であるが、手動変速機や無段変速機であってもよい。
【００２０】
前輪用差動装置１０およびこれに連結されて延びる左右の車軸３０ａ，３０ｂは、エンジン２よりも車両後方側に設けられている。前輪用差動装置１０は、車幅方向の中央よりも左側にオフセットして配置されており、右側の車軸３０ａは左側の車軸３０ｂよりも長尺とされる。
【００２１】
前輪用の車軸３０ａ，３０ｂは、前輪用差動装置１０に連結されたデフ側軸部材３１ａ，３１ｂと、自在継手３４ａ，３４ｂを介してデフ側軸部材３１ａ，３１ｂに連結された中間軸部材３２ａ，３２ｂと、一端側で自在継手３５ａ，３５ｂを介して中間軸部材３２ａ，３２ｂに連結されると共に他端側で前輪３６ａ，３６ｂに連結される駆動輪側軸部材３３ａ，３３ｂとを含む。
【００２２】
前輪用差動装置１０では、デフケース１２を貫通するピニオンシャフト１５上に一対のピニオンギヤ１６，１７が回転可能に設けられ、ピニオンギヤ１６，１７に跨がって左右のサイドギヤ１８，１９が噛み合っている。デフケース１２には、サイドギヤ１８，１９に対応して左右のスリーブ部１２ａ，１２ｂが設けられている。スリーブ部１２ａ，１２ｂには、車軸３０ａ，３０ｂのデフ側軸部材３１ａ，３１ｂが挿通されている。デフ側軸部材３１ａ，３１ｂの先端は、サイドギヤ１８，１９にスプライン嵌合している。前輪用差動装置１０により、変速機６からデフケース１２に伝達された動力は、走行状況に応じた回転差となるように左右の車軸３０ａ，３０ｂに伝達される。
【００２３】
一方の前輪用の車軸３０ａのデフ側軸部材３１ａ上には、モータユニット５０と、デフケース１２に伝達された動力を後輪４６ａ，４６ｂ側へ取り出すためのトランスファ装置２００の一部とが設けられている。
【００２４】
モータユニット５０は、モータ５１と、モータ５１の動力を減速してデフケース１２に伝達する減速機６０とを含む。モータユニット５０は、エンジン２の後方かつ前輪用差動装置１０の右側に生じるスペースに設けられている。減速機６０は、車軸３０ａ上で前輪用差動装置１０とモータ５１との間に設けられている。これにより、エンジン２から伝達される動力とモータ５１から伝達される動力とが前輪用差動装置１０のデフケース１２で統合されるようになっている。この統合された動力は、車軸３０ａ，３０ｂを介して前輪３６ａ，３６ｂに伝達されると共に、後述するようにトランスファ装置２００を介して後輪４６ａ，４６ｂ側に伝達される。
【００２５】
トランスファ装置２００は、車軸３０ａ上で車幅方向に延びる第１駆動軸２０１と、車体前後方向に延びる第２駆動軸２０２とを備える。すなわち、トランスファ装置２００は、車幅方向に延びる軸を１本有する、いわゆる一軸タイプのトランスファ装置である。
【００２６】
第１駆動軸２０１は、デフケース１２とモータ５１の出力部とを連絡する。第１駆動軸２０１上には駆動傘歯ギヤ２１０が設けられている。第２駆動軸２０２上には駆動傘歯ギヤ２１０に噛み合う被動傘歯ギヤ２２０が設けられている。被動傘歯ギヤ２２０は駆動傘歯ギヤ２１０よりも小径である。第２駆動軸２０２は車両前後方向に延びており、自在継手３８を介してプロペラシャフト３９に連結されている。
【００２７】
上記トランスファ装置２００の構成により、デフケース１２から第１駆動軸２０１に入力された動力は、駆動傘歯ギヤ２１０と被動傘歯ギヤ２２０との噛み合いにより第２駆動軸２０２に伝達されて、第２駆動軸２０２からプロペラシャフト３９へ出力される。なお、前述の通り被動傘歯ギヤ２２０は駆動傘歯ギヤ２１０よりも小径であるため、デフケース１２からの入力回転は増速されてプロペラシャフト３９に出力されるところ、後輪用差動装置４２に入力される際には、トランスファ装置２００による増速分は減速されて相殺されるようになっている。
【００２８】
プロペラシャフト３９へ出力された動力は、カップリング４０を介して後輪用差動装置４２に伝達され、走行状況に応じた回転差となるように、後輪４６ａ，４６ｂに連結された左右の車軸４４ａ，４４ｂに伝達される。
【００２９】
次に、図２と図３を参照して、モータユニット５０とトランスファ装置２００の構成についてさらに詳細に説明する。以下の説明では、車軸３０ａ上での向きについて、前輪用差動装置１０側をデフ側、その反対側を反デフ側と称す。
【００３０】
［モータユニット］
モータユニット５０において、モータ５１と減速機６０は、ユニットケース１００内に収容された状態でユニット化されている。ユニットケース１００は、互いに結合されたケース部材１０１，１０２と、ケース部材１０１に結合された筒状部材１０３とで構成される。ユニットケース１００は、ケース部材１０２でエンジン２のシリンダブロック（図示せず）に固定されている。
【００３１】
ケース部材１０２の車幅方向外側端部には、デフ側軸部材３１ａの半周分を覆うように半割れ状に形成された支持部１０４が設けられている。支持部１０４には、デフ側軸部材３１ａの残りの半周分を覆うように半割れ状に形成されたブラケット１２０が対向配置されている。支持部１０４とブラケット１２０はボルト１２１により結合されている。支持部１０４とブラケット１２０とで形成された筒状部の内周面に、デフ側軸部材３１ａの前輪３６ａ側の端部が軸受１０５を介して支持される。
【００３２】
軸受１０５のデフ側に隣接する位置には、デフ側軸部材３１ａとケース部材１０２との間にこれらの相対回転を許容するオイルシール１０６が設けられている。
【００３３】
また、モータユニット５０には、軸方向に延びる筒状の仕切部材６６が設けられている。仕切部材６６の内側にはデフ側軸部材３１ａが挿通されている。仕切部材６６により、減速機６０およびモータ５１とデフ側軸部材３１ａとが仕切られる。
【００３４】
仕切部材６６は、Ｏリングを介してデフ側端部で後述する第１駆動軸２０１の内周面に圧入されており、第１駆動軸２０１と一体回転するようになっている。仕切部材６６は、反デフ側端部で、仕切部材６６とケース部材１０２との間の相対回転を許容するオイルシール６８を介してケース部材１０２に回転可能に支持されている。
【００３５】
モータ５１．
モータユニット５０において、モータ５１は、ケース部材１０２に固定されたステータ５２と、ステータ５２の内側に回転自在に設けられたロータ５３と、ロータ５３と一体回転するようにその内側に固定された出力軸５４とを備える。出力軸５４は、上記モータの出力部として機能する。
【００３６】
ステータ５２は、磁性体からなるステータコアにコイルが巻回されて構成される。ロータ５３は、筒状の磁性体で構成されており、ステータ５２に電力が供給されたときに生じる磁力により回転する。ステータ５２とロータ５３は、２つのケース部材１０１，１０２で形成されたモータ収容空間Ｓ１に収容されている。出力軸５４は、仕切部材６６の外側に隙間を空けて配置されている。出力軸５４は、ロータ５３よりもデフ側で軸受５５を介してケース部材１０１に支持され、ロータ５３よりも反デフ側で軸受５６を介してケース部材１０２に支持されている。
【００３７】
減速機６０．
モータユニット５０において、減速機６０は、デフ側軸部材３１ａ上に設けられた第１、第２遊星歯車機構６０ａ，６０ｂを含む。図３に示すように、第１、第２遊星歯車機構６０ａ，６０ｂは、入力要素としての第１、第２サンギヤ６１ａ，６１ｂ、反力要素としての第１、第２リングギヤ６２ａ，６２ｂ、出力要素としての第１、第２キャリヤ６３ａ，６３ｂを有する。
【００３８】
第１サンギヤ６１ａと第２サンギヤ６１ｂは、仕切部材６６の外側に隙間を空けて配置されている。第１サンギヤ６１ａはモータ５１の出力軸５４と一体に設けられており、モータ５１の出力が第１サンギヤ６１ａに入力されるようになっている。第２サンギヤ６１ｂは第１キャリヤ６３ａと一体に設けられ、第１遊星歯車機構６０ａの出力が第２サンギヤ６１ｂに入力されるようになっている。
【００３９】
第１、第２リングギヤ６２ａ，６２ｂは一体に設けられ、これらの径方向外側に設けられたユニットケース１００の筒状部材１０３の内周面にスプライン嵌合している。筒状部材１０３はケース部材１０１に固定されているので、第１、第２リングギヤ６２ａ，６２ｂはユニットケース１００に回転不能に固定される。これにより、第１サンギヤ６１ａに入力された回転は、第１遊星歯車機構６０ａにより減速されて第１キャリヤ６３ａから第２遊星歯車機構６０ｂへ出力される。また、第２サンギヤ６１ｂに入力された回転は、第２遊星歯車機構６０ｂにより減速されて第２キャリヤ６３ｂから出力される。
【００４０】
第２キャリヤ６３ｂの内周端部では、第１駆動軸２０１がデフ側へ向かって軸方向に延びている。第１駆動軸２０１は、第２キャリヤ６３ｂと一体に設けられており、減速機６０の出力部として機能する。なお、第１駆動軸２０１は、第２キャリヤ６３ｂと一体回転するように当該第２キャリヤ６３ｂに連結されていてもよい。
【００４１】
減速機６０は、軸受５５を挟んで、モータ５１のデフ側に隣接して配置されている。減速機６０は、筒状部材１０３とケース部材１０１とで形成された減速機収容空間Ｓ２に収容されている。減速機６０の反デフ側には、ケース部材１０１との間に、軸方向の力を受ける軸受５７が設けられている。
【００４２】
減速機６０の作用により、第１駆動軸２０１はモータ５１よりも低速で回転し、第１駆動軸２０１に固定された仕切部材６６もモータ５１よりも低速で回転する。これにより、仕切部材６６の反デフ側端部を支持するケース部材１０２と、仕切部材６６との間の相対回転速度を低減できる。この結果、仕切部材６６とケース部材１０２との間のオイルシール６８に加わる負荷が軽減され、オイルシール６８のシール性を向上させることができる。
【００４３】
減速機６０の出力部であるトランスファ装置２００の第１駆動軸２０１はデフケース１２に連結されており、デフケース１２と一体回転する。これにより、モータ５１が駆動されると、モータ５１の動力は減速機６０を介してデフケース１２に伝達される。このように、モータ５１の出力が第１、第２遊星歯車機構６０ａ，６０ｂにより２段階で減速されてデフケース１２に伝達されることにより、モータ５１からデフケース１２に伝達されるトルクが充分に増大されるため、モータ５１の小型化ひいてはモータユニット５０の小型化が図られる。
【００４４】
なお、モータユニット５０において、モータ５１の出力軸５４には、モータ収容空間Ｓ１、減速機収容空間Ｓ２にそれぞれ連通する複数の油路（図示せず）が設けられており、電動オイルポンプ（図示せず）から供給されるオイルがこれらの油路を通って空間Ｓ１，Ｓ２に供給されてモータ５１が冷却され、あるいは減速機６０等が潤滑されるようになっている。また、このオイルとしては、モータ５１の性能に悪影響を及ぼす成分（例えば銅腐食物質）を含まないものが用いられる。また、電動オイルポンプは車軸３０ａ上に設けられる必要はなく、ユニットケース１００の下方など任意の位置に設けられる。
【００４５】
［トランスファ装置］
トランスファ装置２００は、トランスファケース２３０内に収納されている。トランスファケース２３０は、互いにＯリングを介して結合された第１ケース部材２３１と第２ケース部材２３２で構成される。第１ケース部材２３１は、第１駆動軸２０１を収容する筒状の第１部分２３１ａと、第２ケース部材２３２に結合される第２部分２３１ｂとを有する。第２ケース部材２３２は筒状であって、第１ケース部材２３１の第２部分２３１ｂと併せて第２駆動軸２０２を収容する。トランスファケース２３０は、第１ケース部材２３１の第１部分２３１ａで円板状の連結部材２３３に結合され、この連結部材２３３を介してユニットケース１００に結合されている。具体的には、連結部材２３３は、ユニットケース１００のケース部材１０１と筒状部材１０３とにＯリングを介して結合されている。
【００４６】
トランスファケース２３０の内部空間には、駆動傘歯ギヤ２１０と被動傘歯ギヤ２２０との噛合部、および、後述する軸受２１１，２１２，２２１，２２２等を潤滑するオイルが封入されている。このオイルとしては、駆動傘歯ギヤ２１０と被動傘歯ギヤ２２０との噛合部における焼付きを防止する成分を含むものが用いられる。
【００４７】
第１駆動軸２０１．
トランスファ装置２００において、第１駆動軸２０１は、車軸３０ａのデフ側軸部材３１ａの外側に嵌合する筒状部材である。第１駆動軸２０１は、デフ側端部で、第１ケース部材２３１の第１部分２３１ａの外側へ突出して延びると共に、デフケース１２のスリーブ部１２ａの内周面にスプライン嵌合している。これにより、デフケース１２と第１駆動軸２０１とが駆動連結される。
【００４８】
図３に示すように、第１駆動軸２０１上に設けられた駆動傘歯ギヤ２１０は、第１駆動軸２０１とのスプライン嵌合部が内周側に形成された筒部２１０ａと、筒部２１０ａから径方向外側に広がる円板部２１０ｂと、円板部２１０ｂから反デフ側に傾斜しつつ径方向外側へ向かって延びる傘部２１０ｃと、傘部２１０ｃに設けられてデフ側を向く歯部２１０ｄとを有する。
【００４９】
駆動傘歯ギヤ２１０は、反デフ側で軸受２１１に、デフ側で軸受２１２によりそれぞれ支持されている。軸受２１１，２１２は、径方向に入力される力と軸方向に入力される力の両方を受けるテーパローラベアリングである。駆動傘歯ギヤ２１０の傘部２１０ｃの径方向外側端部近傍には、傘部２１０ｃよりも小径でかつ反デフ側に延びる環状部２１０ｅが設けられている。
【００５０】
反デフ側の軸受２１１のインナレース２１１ａは、駆動傘歯ギヤ２１０の傘部２１０ｃと環状部２１０ｅに当接し、アウタレース２１１ｂは、第１ケース部材２３１の第１部分２３１ａと連結部材２３３とに当接している。これにより、軸受２１１は、環状部２１０ｅと第１部分２３１ａとにより径方向に位置決めされ、傘部２１０ｃと連結部材２３３とにより軸方向に位置決めされる。デフ側の軸受２１２のインナレース２１２ａは、駆動傘歯ギヤ２１０の筒部２１０ａに当接し、アウタレース２１２ｂは、第１ケース部材２３１の第１部分２３１ａに当接している。これにより、軸受２１２は、筒部２１０ａと第１部分２３１ａとにより径方向、軸方向に位置決めされる。
【００５１】
次に、軸受２１１，２１２の配置について説明する。
【００５２】
反デフ側の軸受２１１は、軸方向で減速機６０とオーバラップしている。図２、図３では、軸受２１１は第２遊星歯車機構６０ｂと部分的にオーバラップしているが、第２遊星歯車機構６０ｂ全体、更には第１遊星歯車機構６０ａとオーバラップしていてもよい。この配置は、軸受２１１が減速機６０を包囲する筒状部材１０３の外周に設けられ、傘部２１０ｃの反デフ側に形成される凹部に筒状部材１０３が入り込むことで可能となっている。このようにして、減速機６０を含むモータユニット５０全体を車幅方向（軸方向）でデフ側に寄せて配置して、駆動装置１を車幅方向にコンパクト化することが可能となる。
【００５３】
また、軸受２１１は、径方向で、駆動傘歯ギヤ２１０の歯部２１０ｄとオーバラップしている。具体的には、軸受２１１のインナレース２１１ａが歯部２１０ｄの軸方向外側端部とオーバラップしている。このようにして、駆動装置１を径方向にもコンパクト化することが可能となる。
【００５４】
デフ側の軸受２１２は、軸方向で、駆動傘歯ギヤ２１０における第１駆動軸２０１の筒部２１０ａの内周側に形成されたスプライン嵌合部とオーバラップしている。このようにして、駆動装置１を車幅方向に更にコンパクト化することが可能となる。
【００５５】
次に、軸受２１１，２１２の機能について説明する。
【００５６】
反デフ側の軸受２１１は、駆動傘歯ギヤ２１０の径方向外側端部近傍で、駆動傘歯ギヤ２１０と被動傘歯ギヤ２２０との噛み合いに伴って駆動傘歯ギヤ２１０から軸方向反デフ側に入力される力と径方向に入力される力の両方を受ける。このとき、軸受２１１は歯部２１０ｄと径方向にオーバラップして設けられていることから、駆動傘歯ギヤ２１０の支持剛性を向上させることが可能となり、これにより、駆動傘歯ギヤ２１０と被動傘歯ギヤ２２０との歯当たりの変化を抑制することが可能となる。
【００５７】
デフ側の軸受２１２は、駆動傘歯ギヤ２１０の径方向内側端部近傍で、駆動傘歯ギヤ２１０と被動傘歯ギヤ２２０との噛み合いに伴って駆動傘歯ギヤ２１０の筒部２１０ａから軸方向デフ側に入力される力と径方向に入力される力の両方を受ける。このとき、軸受２１２は、駆動傘歯ギヤ２１０の筒部２１０ａの内周側に形成されたスプライン嵌合部と軸方向にオーバラップして設けられていることから、駆動傘歯ギヤ２１０の支持剛性を向上させることが可能となる。
【００５８】
特に、この実施形態では、駆動傘歯ギヤ２１０の歯部２１０ｄに関して軸方向の反対側に軸受２１１，２１２が設けられることにより、駆動傘歯ギヤ２１０と被動傘歯ギヤ２２０との噛み合いに伴う駆動傘歯ギヤ２１０の揺動が抑制され、両ギヤの歯当たりの変化が好適に抑制される。
【００５９】
第２駆動軸２０２．
トランスファ装置２００において、第２駆動軸２０２は、軸心が車幅方向の車体中央またはその近傍に位置するように配置されている。第２駆動軸２０２上の前端部には、歯部２２０ａが車体前方側を向く被動傘歯ギヤ２２０が一体に設けられている。
【００６０】
第２駆動軸２０２は、一対の軸受２２１，２２２を介して第２ケース部材２３２に支持されている。軸受２２１，２２２はテーパローラベアリングである。軸受２２１，２２２は、被動傘歯ギヤ２２０の車体後方側で、車体前後方向に並べて第２駆動軸２０２上に設けられている。車体前方側の軸受２２１は、車体後方側の軸受２２２よりも大径である。軸受２２１，２２２のインナレース間には、第２駆動軸２０２の外側に嵌合する筒状のディスタンスピース２４０が設けられている。
【００６１】
第２駆動軸２０２で、軸受２２２の車体後方側には、図示しないコンパニオンフランジを介して自在継手３８（図１参照）に締結される連結部材２５０が嵌合している。
【００６２】
第２駆動軸２０２の後端部の外周にはねじ部２０２ａが設けられている。ねじ部２０３ａに設けられたナット２５１を締め付けることで、第２駆動軸２０２上で被動傘歯ギヤ２２０とナット２５１との間に挟み込まれた一対の軸受２２１，２２２のインナレース、ディスタンスピース２４０および連結部材２５０が、軸方向に位置決めされた状態で第２駆動軸２０２に固定されるようになっている。
【００６３】
組付け時にナット２５１を締め付けるとき、ディスタンスピース２４０は、弾性変形状態を経て塑性変形する。ディスタンスピース２４０が塑性変形した状態で、軸受２５２，２５６の予圧が調整される。このように軸受２５２，２５６の予圧が精密に管理されることで、車体後方側から片持ち状に支持される第２駆動軸２０２の支持剛性が高められる。
【００６４】
第２駆動軸２０２は第１駆動軸２０１よりも車体上方へオフセットして配置されている。これに合わせて、第１ケース部材２３１の第２部分２３２ｂの底部は第１部分２３１ａの底部よりも上方に位置する。これにより、トランスファケース２３０内のオイルが第１部分２３１ａの底部に貯留されやすくなっている。第１部分２３１ａの底部に貯留されたオイルは、第１駆動軸２０１と共に回転する駆動傘歯ギヤ２１０により掻き上げられて、軸受２１１，２１２，２２１，２２２等に供給される。
【００６５】
封止構造．
次に、トランスファ装置２００におけるオイルの封止構造について説明する。軸受２１２のデフ側には、第１駆動軸２０１の外周と第１ケース部材２３１の第１部分２３１ａの内周との間でこれらの相対回転を許容するオイルシール２１３と、第１駆動軸２０１の外周とトランスアクスルケース４の内周との間でこれらの相対回転を許容するオイルシール２０とが設けられている。すなわち、トランスファケース２３０とトランスアクスルケース４との合わせ面において、オイルシール２１３はトランスファケース側にオイルシール２０はトランスアクスルケース４側に設けられている。オイルシール２１３によりトランスファケース２３０内のオイルが封止されると共に、オイルシール２０によりトランスアクスルケース４内のオイルが封止される。これにより、成分が異なる両オイルがトランスファケース２３０内とトランスアクスルケース４内とで混ざり合うことが防止される。
【００６６】
軸受２１１の反デフ側には、第１駆動軸２０１の外周と筒状部材１０３の内周との間でこれらの相対回転を許容する２つのオイルシール２１４，２１５が、軸方向に並べて設けられている。デフ側のオイルシール２１４によりトランスファケース２３０内のオイルが封止され、反デフ側のオイルシール２１５によりモータユニット５０のユニットケース１００内のオイルが封止される。これにより、成分が異なる両オイルがトランスファケース２３０内とユニットケース１００内で混ざり合うことが防止される。
【００６７】
第２駆動軸２０２に固定された連結部材２５０の外周と第２ケース部材２３２の内周との間には、これらの相対回転を許容するオイルシール２６０が設けられている。これにより、トランスファケース２３０内でオイルを油密状態で封入できる。
【００６８】
（第２実施形態）
図４は、本発明の第２実施形態による車両の駆動装置を示す、図２に対応する断面図である。
【００６９】
第１実施形態では、電動オイルポンプによりモータ５１等にオイルを供給する例について説明したが、第２実施形態では、モータユニット５０に備えられて車軸３０ａ上に設けられるオイルポンプ７０によりオイルを供給する例について説明する。説明と図面において、第１実施形態と同一の構成については同一の符号を付し、説明を省略する。
【００７０】
オイルポンプ７０は、インナロータ７１とアウタロータ７２を備えた内接型のギヤポンプである。アウタロータ７２は、筒状部材１０３の内周面に形成された凹部に遊嵌されている。インナロータ７１の内周には、第１駆動軸２０１が圧入により固定されている。インナロータ７１の外歯は、周方向の一部でアウタロータ７２の内歯に噛み合っており、これにより、第１駆動軸２０１と共にインナロータ７１が回転すると、アウタロータ７２が従動回転するようになっている。
【００７１】
なお、第１実施形態で説明したように、モータ５１の出力軸５４には、モータ収容空間Ｓ１、減速機収容空間Ｓ２にそれぞれ連通する複数の油路（図示せず）が設けられており、オイルポンプ７０から供給されるオイルがこれらの油路を通って空間Ｓ１，Ｓ２に供給される。筒状部材１０３には、オイルポンプ７０の吸込ポートに連通する油穴１０３ａが形成されている。
【００７２】
次に、オイルポンプ７０の配置について説明する。
オイルポンプ７０は、第１駆動軸２０１の径方向外側であって減速機６０のデフ側に配置されている。オイルポンプ７０は、ユニットケース１００の筒状部材１０３と、筒状部材１０３にＯリングを介して結合された皿状部材１０７と、第１駆動軸２０１とで形成されるポンプ収容空間Ｓ３に収容されている。なお、筒状部材１０３は、第１実施形態と同様に、ケース部材１０１に結合され、第１、第２遊星歯車機構６０ａ，６０ｂの外周面にスプライン嵌合し、減速機収容空間Ｓ２を構成し、かつ、連結部材２３３にＯリングを介して結合されている。第２実施形態では、オイルシール２１４，２１５が第１駆動軸２０１の外周と皿状部材１０７の内周との間に設けられている。
【００７３】
第２実施形態では、駆動傘歯ギヤ２１０を反デフ側で支持する軸受２１１が、軸方向で、減速機６０とはオーバラップしていないがオイルポンプ７０とオーバラップしている。この配置は、軸受２１１がオイルポンプ７０を包囲する筒状部材１０３の外周に設けられ、傘部２１０ｃの反デフ側に形成される凹部空間に、筒状部材１０３が入り込むことで可能となっている。このようにして、車軸３０ａ上にオイルポンプ７０が設けられる場合であっても、モータユニット５０全体を車幅方向（軸方向）でデフ側に寄せて配置して、駆動装置１を車幅方向にコンパクト化することが可能となる。
【００７４】
以上、上記実施形態を挙げて本発明を説明したが、本発明は上記実施形態に限定されるものではない。また、上記実施形態には種々の変形、改良が加えられてよく、従って上記実施形態には種々の変形例が存在する。
【００７５】
例えば、上記実施形態では、駆動傘歯ギヤ２１０を反デフ側で支持する軸受２１１が減速機６０またはオイルポンプ７０と軸方向にオーバラップする例について説明したが、トランスファ装置２００を収容するトランスファケース２３０とモータ５１および減速機６０を収容するユニットケース１００との間をシールするシール部材（オイルシール２１４，２１５）のみとオーバラップしていてもよい。この例によっても、モータユニット５０全体を車幅方向（軸方向）でデフ側に寄せて配置して、駆動装置１を車幅方向にコンパクト化するという効果がある程度得られる。
【００７６】
また、上記実施形態では、エンジン２やモータ５１などが前輪に連結された車軸上に設けられている例について説明したが、後輪に連結された車軸上に設けられていてもよい。
【００７７】
また、上記実施形態では、減速機６０が２つの遊星歯車機構で構成される例について説明したが、減速機６０は１つまたは３つ以上の遊星歯車機構で構成されてもよいし、遊星歯車機構以外の減速機構で構成されてもよい。
【産業上の利用可能性】
【００７８】
以上のように、本発明によれば、車両の駆動装置を車幅方向にコンパクト化することが可能となるから、この種の駆動装置およびこれを搭載した四輪駆動式のハイブリッド車の製造産業分野において本発明が好適に利用される可能性がある。
【符号の説明】
【００７９】
１              駆動装置
２              エンジン
６              変速機
１０            前輪用差動装置
３０ａ，３０ｂ  車軸
３６ａ，３６ｂ  前輪
３９            プロペラシャフト
４６ａ，４６ｂ  後輪
５０            モータユニット
５１            モータ
５４            出力軸（モータの出力部）
６０            減速機
６０ａ          第１遊星歯車機構
６０ｂ          第２遊星歯車機構
７０            オイルポンプ
２００          トランスファ装置
２０１          第１駆動軸
２０２          第２駆動軸
２１０          駆動傘歯ギヤ
２１１          （反デフ側の）軸受
２１２          （デフ側の）軸受（第２の軸受）
２２０          被動傘歯ギヤ
【図１】
2016141198.tif 000003
【図２】
2016141198.tif 000004
【図３】
2016141198.tif 000005
【図４】
2016141198.tif 000006